(57)【要約】【課題】複数の集合住宅（住居棟）の居室親機に表示される情報を容易に送信可能なインターホンシステムを提供する。【解決手段】複数の住居棟３，４で構成される集合住宅２に用いられ、複数の住居棟３，４の各々には、各居室に設置され、表示部１１を有する居室親機１０と、居室親機１０を呼び出す呼出操作が可能な集合玄関機２０と、インターホン回線を介して自棟内の各居室の居室親機１０と集合玄関機２０とを通信可能に接続する棟制御部４０とが備えられている。集合玄関機２０または棟制御部４０は、外部ネットワークＮを介して、データ制御部１００に接続され、データ制御部１００は、所定の情報に関連づけられたデータを、外部ネットワークＮを通じて複数の住居棟３，４の集合玄関機２０または棟制御部４０に一括して送信するように構成されている。集合玄関機２０または棟制御部４０は、受信したデータを所定の情報に関連づけられた居室の居室親機１０に送信するように構成されている。【選択図】図１
2019047199.tif 000002
【特許請求の範囲】
【請求項１】
複数の住居棟で構成される集合住宅に用いられるインターホンシステムであって、
前記複数の住居棟の各々には、
各居室に設置され、表示部を有する居室親機と、
前記居室親機を呼び出す呼出操作が可能な端末機器と、
インターホン回線を介して自棟内の前記各居室の居室親機と前記端末機器とを通信可能に接続する棟制御部と、
が備えられ、
前記端末機器または前記棟制御部は、外部ネットワークを介して、データ制御部に接続され、
前記データ制御部は、所定の情報に関連づけられたデータを、前記外部ネットワークを通じて前記複数の住居棟の前記端末機器または前記棟制御部に一括して送信するように構成され、
前記端末機器または前記棟制御部は、受信した前記データを前記所定の情報に関連づけられた居室の前記居室親機に送信するように構成されている、インターホンシステム。
【請求項２】
前記データ制御部は、前記データがアップロードされるクラウドサーバとして構成され、
前記棟制御部は、前記クラウドサーバから前記外部ネットワークを通じて送信された前記データを所定の居室親機に配信するための配信サーバを含み、
前記配信サーバは、前記居室親機からの定期的なポーリングに応じて、対象の居室親機に前記データを送信するように構成されている、請求項１に記載のインターホンシステム。
【請求項３】
前記所定の情報は、広告情報、自治体からの地域情報、対象サービスの予約情報のうち少なくとも一つを含む、請求項１または２に記載のインターホンシステム。
【発明の詳細な説明】
【技術分野】
【０００１】
本発明は、集合住宅に用いられるインターホンシステムに関する。
【背景技術】
【０００２】
従来、複数の住居棟で構成される集合住宅向けのインターホンシステムがある。このインターホンシステムの構成では、各住居棟は、インターホン回線（インターホン専用線）を介して制御機と接続されている。
【先行技術文献】
【特許文献】
【０００３】
【特許文献１】特開２００４−２６０６７９号公報
【発明の概要】
【発明が解決しようとする課題】
【０００４】
ところで、各集合住宅の管理会社を通じて、当該集合住宅の各居室に設けられた居室親機へ広告等の情報を送信し、居室親機のディスプレイに表示させる場合がある。しかしながら、従来は、集合住宅毎に情報を送信する必要があり、処理が煩雑であった。
【０００５】
そこで、本発明は、複数の集合住宅（住居棟）の居室親機に表示される情報を容易に送信可能なインターホンシステムを提供することを目的とする。
【課題を解決するための手段】
【０００６】
上記目的を達成するために、本発明のインターホンシステムは、
複数の住居棟で構成される集合住宅に用いられるインターホンシステムであって、
前記複数の住居棟の各々には、
各居室に設置され、表示部を有する居室親機と、
前記居室親機を呼び出す呼出操作が可能な端末機器と、
インターホン回線を介して自棟内の前記各居室の居室親機と前記端末機器とを通信可能に接続する棟制御部と、
が備えられ、
前記端末機器または前記棟制御部は、外部ネットワークを介して、データ制御部に接続され、
前記データ制御部は、所定の情報に関連づけられたデータを、前記外部ネットワークを通じて前記複数の住居棟の前記端末機器または前記棟制御部に一括して送信するように構成され、
前記端末機器または前記棟制御部は、受信した前記データを前記所定の情報に関連づけられた居室の前記居室親機に送信するように構成されている。
【０００７】
上記構成によれば、複数の住居棟を管理する管理会社等は、複数の集合住宅の各居住者に対して提供したい情報を容易に送信することができる。
【０００８】
また、本発明のインターホンシステムにおいて、
前記データ制御部は、前記データがアップロードされるクラウドサーバとして構成され、
前記棟制御部は、前記クラウドサーバから前記外部ネットワークを通じて送信された前記データを所定の居室親機に配信するための配信サーバを含み、
前記配信サーバは、前記居室親機からの定期的なポーリングに応じて、対象の居室親機に前記データを送信するように構成されていてもよい。
【０００９】
上記構成によれば、既存のポーリングコマンドを利用しているため、データ配信の特別の手順を用意する必要が無く、低コストなシステムを提供することができる。
【００１０】
また、本発明のインターホンシステムにおいて、
前記所定の情報は、広告情報、自治体からの地域情報、対象サービスの予約情報のうち少なくとも一つを含んでもよい。
【００１１】
居室親機へ提供される情報としては、これらの情報を含むことが好ましい。
【発明の効果】
【００１２】
本発明のインターホンシステムによれば、複数の集合住宅（住居棟）の居室親機に表示される情報を容易に送信することができる。
【図面の簡単な説明】
【００１３】
【図１】本発明の実施形態に係るインターホンシステムの構成図である。
【図２】インターホンシステムの動作を説明するためのフローチャートである。
【発明を実施するための形態】
【００１４】
以下、本実施形態に係るインターホンシステムの一例について、図面を参照して説明する。
図１に示すように、インターホンシステム１は、複数の住居棟（本例では、住居Ａ棟３，住居Ｂ棟４）、および管理棟５などで構成される例えばマンション等の集合住宅２に用いられるシステムである。住居Ａ棟３、住居Ｂ棟４、および管理棟５は、インターネットＮ（外部ネットワークの一例）を介して、例えばクラウドサーバ１００（データ制御部の一例）と接続可能に構成されている。
【００１５】
複数の住居棟３，４の各々は、居室親機１０と、集合玄関機２０（端末機器の一例）と、管理室親機３０と、棟制御部４０とを備えている。なお、本例では、住居Ａ棟３と住居Ｂ棟４とを同じ構成の住居棟として表しているが、例えば居室親機１０の数（住戸数）、集合玄関機２０の数等は各住居棟３，４によって相違していてもよい。
【００１６】
居室親機１０は、住居棟３，４の各住居内に設置されている。居室親機１０は、表示部１１、操作部１２、親機ＣＰＵ１３などを有している。親機ＣＰＵ１３の記憶部（図示省略）には、その居室親機を特定する固有情報（例えば居室親機ＩＤ：identification等の識別番号）が記憶されている。居室親機１０は、インターホン回線（専用線）Ｌ１を介して棟制御部４０に接続されている。居室親機１０は、棟制御部４０を経由して、例えば集合玄関機２０や管理室親機３０などと通信可能に構成されている。
【００１７】
集合玄関機２０は、住居棟３，４の集合玄関や共用スペース等に設置されている。集合玄関機２０は、表示部２１、操作部２２、カメラ２３、玄関機ＣＰＵ２４などを有している。玄関機ＣＰＵ２４の記憶部（図示省略）には、その集合玄関機を特定する固有情報（例えば集合玄関機ＩＤ等の識別番号）が記憶されている。集合玄関機２０は、インターホン回線Ｌ２を介して棟制御部４０に接続されている。集合玄関機２０は、棟制御部４０を経由して、例えば居室親機１０や管理室親機３０などと通信可能に構成されている。例えば、来訪者は操作部２２を操作することにより、訪問先の居室親機を呼び出すことができる。
【００１８】
管理室親機３０は、住居棟３，４の管理室に設置されている。管理室親機３０は、表示部３１、操作部３２、通話部３３、管理室ＣＰＵ３４などを有している。管理室ＣＰＵ３４の記憶部（図示省略）には、その管理室親機を特定する固有情報（例えば管理室親機ＩＤ等の識別番号）が記憶されている。管理室親機３０は、インターホン回線Ｌ３を介して棟制御部４０に接続されている。管理室親機３０は、棟制御部４０を経由して、例えば居室親機１０や集合玄関機２０などと通信可能に構成されている。
【００１９】
棟制御部４０は、例えば住居棟３，４の管理室などに設置されている。棟制御部４０は、制御部ＣＰＵ４１、配信サーバ４２などを有している。制御部ＣＰＵ４１の記憶部（図示省略）には、インターホン回線上において、棟制御部を特定するための固有情報（例えば棟制御部ＩＤ等の識別番号）が記憶されている。また、制御部ＣＰＵ４１の記憶部には、インターネットＮ上において、各棟制御部４０を識別するためのＩＰ（Internet Protocol）アドレスが記憶されている。
【００２０】
棟制御部４０の制御部ＣＰＵ４１は、インターホン回線を介して接続される自棟内の居室親機１０と、集合玄関機２０と、管理室親機３０との間の通信等を制御する。また、制御部ＣＰＵ４１は、インターネットＮを介して接続されるクラウドサーバ１００との間の通信等を制御する。また、制御部ＣＰＵ４１は、インターネットＮを介してクラウドサーバ１００から送信されてきたデータを、居室親機１０に送信するための画像に変換する処理を行う。
【００２１】
配信サーバ４２には、インターネットＮを介して、クラウドサーバ１００から送信されてくるデータが保存される。配信サーバ４２に保存されたデータは、インターホン回線Ｌ１を介して、所定の居室親機１０に向けて配信される。配信されたデータは、居室親機１０の表示部１１に表示される。なお、配信サーバ４２に保存されたデータは、棟制御部４０からインターホン回線Ｌ２を介して集合玄関機２０に配信され、集合玄関機２０の表示部２１に表示されるようにしてもよい。また、配信サーバ４２に保存されたデータは、棟制御部４０からインターホン回線Ｌ３を介して管理室親機３０に配信され、管理室親機３０の表示部３１に表示されるようにしてもよい。
【００２２】
管理棟５は、住居Ａ棟３および住居Ｂ棟４を管理することができるように構成されている。管理棟５は、管理玄関機５０と、管理室親機６０と、管理制御部７０とを備えている。
【００２３】
管理玄関機５０は、管理棟５の玄関に設置されており、表示部５１、操作部５２、カメラ５３、管理玄関ＣＰＵ５４などを有している。管理玄関ＣＰＵ５４の記憶部（図示省略）には、その管理玄関機を特定する固有情報（例えば管理玄関機ＩＤ等の識別番号）が記憶されている。管理玄関機５０は、インターホン回線Ｌ４を介して管理制御部７０に接続されている。
【００２４】
管理室親機６０は、管理棟５の管理室に設置されており、表示部６１、操作部６２、通話部６３、管理室ＣＰＵ６４などを有している。管理室ＣＰＵ６４の記憶部（図示省略）には、その管理室親機を特定する固有情報（例えば管理室親機ＩＤ等の識別番号）が記憶されている。管理室親機６０は、インターホン回線Ｌ５を介して管理制御部７０に接続されている。
【００２５】
管理制御部７０は、管理棟５の管理室などに設置されている。管理制御部７０は、管理制御部ＣＰＵ７１、配信サーバ７２などを有している。管理制御部ＣＰＵ７１の記憶部（図示省略）には、インターホン回線上において、管理制御部７０を特定するための固有情報（例えば管理制御部ＩＤ等の識別番号）が記憶されている。また、管理制御部ＣＰＵ７１の記憶部には、インターネットＮ上において、管理制御部７０を識別するためのＩＰアドレスが記憶されている。
【００２６】
管理制御部７０の管理制御部ＣＰＵ７１は、インターホン回線Ｌ４，Ｌ５を介して接続される管理玄関機５０と管理室親機６０との間の通信等を制御する。また、管理制御部ＣＰＵ７１は、インターネットＮを介して接続されるクラウドサーバ１００との間の通信等を制御する。配信サーバ７２には、インターネットＮを介して、クラウドサーバ１００から送信されてくるデータが保存される。配信サーバ７２に保存されているデータは、インターホン回線Ｌ４，Ｌ５を介して管理玄関機５０および管理室親機６０にそれぞれ配信され、管理玄関機５０の表示部５１や管理室親機６０の表示部６１に表示させることができるように構成されている。
【００２７】
また、管理棟５の管理制御部７０は、インターネットＮを介して、住居Ａ棟３および住居Ｂ棟４の各棟制御部４０とそれぞれ通信可能に接続されている。管理制御部７０は、クラウドサーバ１００から棟制御部４０へ送信されるデータを制御することができるように構成されている。例えば、管理室親機６０からの入力操作によって、配信サーバ４２から各居室親機１０へ配信されるデータを配信規制することができるように構成されている。
【００２８】
クラウドサーバ１００には、集合住宅２の配信サーバ４２，７２に送信するデータが保存されている。クラウドサーバ１００には、クラウドサーバ１００を管理する管理会社８０の例えばパーソナルコンピュータ８１がインターネットＮを介して通信可能に接続されている。クラウドサーバ１００に保存されるデータは、管理会社８０のパーソナルコンピュータ８１を用いてアップロードされる。クラウドサーバ１００に保存されるデータとしては、例えば各企業（管理会社８０を含む）の広告情報、集合住宅２が立地している自治体からの地域情報、対象サービスの予約情報等が含まれる。
【００２９】
なお、クラウドサーバ１００に保存されるデータは、情報を提供する各企業、自治体、対象サービス供給者等がアップロードするようにしてもよい。この場合、各企業、自治体、対象サービス供給者等の例えばパーソナルコンピュータをクラウドサーバ１００にインターネットを介して通信可能に接続させ、各パーソナルコンピュータを用いて情報をアップロードしてもよい。
【００３０】
また、本例では、住居Ａ棟３、住居Ｂ棟４、および管理棟５の各制御部が、インターネットＮを介して、クラウドサーバ１００に接続される構成としたが、例えば住居Ａ棟３および住居Ｂ棟４の集合玄関機２０、管理棟５の管理玄関機５０がそれぞれクラウドサーバ１００に接続されるようにしてもよい。その場合、配信サーバ４２は、例えば集合玄関機２０および管理玄関機５０に設けるようにしてもよい。
【００３１】
また、本例では、各住居棟３，４に集合玄関機２０が設けられた構成の集合住宅２について説明したが、例えば集合玄関機が設置されていない集合住宅では、各居室親機に対応して各住居の玄関に設置される玄関子機に配信サーバを設ける構成としてもよい。
【００３２】
また、本例では、同じ集合住宅２内に建てられている複数の住居棟３，４に向けてクラウドサーバ１００からデータを送信する場合について説明したがこれに限定されない。例えば、管理会社と契約している全ての集合住宅、具体的には、異なる地域（土地）に建てられている複数の集合住宅（異なる住宅メーカーの集合住宅であってもよい）に向けて、クラウドサーバに保存されている同じデータを一括して送信するようにしてもよい。
【００３３】
次に、インターホンシステム１の動作について、図２のフローチャートを参照して説明する。
管理会社８０によって管理される広告情報、地域情報、予約情報等の各データが、インターネットＮを介して、管理会社８０のパーソナルコンピュータ８１からクラウドサーバ１００にアップロードされる（ステップＳ１０１）。クラウドサーバ１００は、アップロードされたデータを保存する。データには、そのデータが送信される送信先（契約相手先）のアドレスが紐づけられている。
【００３４】
クラウドサーバ１００は、データに紐づけられたアドレスに基づいて、送信先を決定する（ステップＳ１０２）。本例では管理会社８０と集合住宅２との間でデータ送受信の契約が結ばれているものとする。契約内容としては、クラウドサーバ１００から集合住宅２へ送信されるデータが、例えば広告情報、地域情報、予約情報に関連づけられたデータであり、データに紐づけられている送信先のアドレスが集合住宅２の各棟制御部４０および管理制御部７０のＩＰアドレスであるとする。
【００３５】
クラウドサーバ１００は、広告情報、地域情報、予約情報に関連づけられたデータを、インターネットＮを介して集合住宅２の各棟制御部４０および管理制御部７０に一括して送信する（ステップＳ１０３）。また、クラウドサーバ１００は、新たなデータがアップロードされると、アップロードされるごとに、その新しいデータを各棟制御部４０および管理制御部７０に一括して送信する。ここで、「一括して送信」とは、クラウドサーバ１００にアップロードされたデータを、複数の送信先（各棟制御部４０および管理制御部７０）にまとめて送信することを意味し、例えば、これら複数の送信先に同時または順次にデータ送信することを含む。
【００３６】
各棟制御部４０および管理制御部７０は、クラウドサーバ１００から送信されてきたデータを各配信サーバ４２，７２にそれぞれ保存する（ステップＳ１０４）。
【００３７】
集合住宅２では、各住居棟３，４の居室ごとに、配信してほしい情報の種別を選択することができるように構成されている。配信情報の選択は、居室親機１０の操作部１２を介して選択することができる。本例では、例えば、住居Ａ棟３の１０１号室で広告情報の配信が選択され、１０２号室で地域情報の配信が選択され、１０３号室で予約情報の配信が選択されているとする。また、住居Ｂ棟４の１０１号室で広告情報と予約情報の配信が選択され、１０３号室で広告情報と地域情報と予約情報の配信が選択されているとする。各居室親機１０によって選択された選択種別データは、各々の親機ＣＰＵ１３の記憶部に記憶されている。
【００３８】
これらの選択種別データは、例えば各居室親機１０から棟制御部４０に向けての定期的なポーリング（送信要求）によって棟制御部４０へ送信される（ステップＳ１０５）。具体的には、棟制御部４０の制御部ＣＰＵ４１は、自棟内の各居室親機１０に対して順番に、送信要求があるかを確認するための要求確認を繰り返し行う。居室親機１０に選択種別データが記憶されている場合には、上記要求確認があった際に、居室親機１０から棟制御部４０へ選択種別データが居室親機ＩＤと共に送信される。
【００３９】
棟制御部４０の制御部ＣＰＵ４１は、受信した居室親機ＩＤおよび選択種別データに基づいて、配信先の居室親機１０と配信するデータとを決定する（ステップＳ１０６）。例えば、住居Ａ棟３の１０１号室において広告情報の配信が選択されていた場合、制御部ＣＰＵ４１は、住居Ａ棟３の１０１号室から受信した居室親機ＩＤおよび広告情報の配信を選択している旨の選択種別データに基づいて、広告情報の配信先として住居Ａ棟３の１０１号室を決定する。続いて、制御部ＣＰＵ４１は、配信サーバ４２に保存されているデータを画像データに変換する（ステップＳ１０７）。制御部ＣＰＵ４１は、変換された画像データに居室親機ＩＤを添付して、自棟内の居室親機１０に向けて送信する（ステップＳ１０８）。例えば、制御部ＣＰＵ４１は、変換された広告情報の画像データを、配信先である住居Ａ棟３の１０１号室の居室親機１０へ当該居室親機１０の居室親機ＩＤとともに送信する。
【００４０】
各居室親機１０は、送信されてきた居室親機ＩＤを認識して、配信を要求した所定の画像データ（例えば、広告情報）を受信する。受信された画像データは、居室親機１０の表示部１１に表示される（ステップＳ１０９）。各居室の居住者は、配信してほしい情報の種別を変更したい場合、再度、自宅の居室親機１０を操作することで配信情報の種別を変更することができる。
【００４１】
このような構成のインターホンシステム１によれば、クラウドサーバ１００は、所定の情報に関連づけられたデータを、インターネットＮを介して複数の住居棟３，４の棟制御部４０に一括して送信することができる。また、棟制御部４０は、受信したデータを所定の情報に関連づけられた各居室の居室親機１０に送信することができる。このため、複数の住居棟３，４を管理する管理会社８０は、例えば、各企業（自社を含む）、各自治体等からの要望に応じて、複数の集合住宅（例えば、住居棟３，４）の各居住者に対して提供したい情報を容易に送信することができる。
【００４２】
また、インターホンシステム１では、集合住宅２内における各居室親機１０へのデータの送受信において、既存のポーリングコマンドを利用している。このため、データ配信の特別の手順を用意する必要が無く、システムの設備コストを抑えることができる。
【００４３】
また、各居室の居室親機１０へ提供される情報として、広告情報、地域情報、予約情報等が用意されているので、集合住宅２の利用者にとって好ましい情報を受信することができる。
【００４４】
管理棟５の管理制御部７０にも各住居棟３，４の棟制御部４０に送信されるデータと同じデータがクラウドサーバ１００から一括して送信されるので、各住居棟３，４にどのようなデータが送信されているのかを管理棟５において把握することが可能である。
【００４５】
（変形例１）
クラウドサーバ１００から集合住宅２の各棟制御部４０および管理制御部７０に向けてデータを送信する場合、例えば予め特定された居住者（居室親機）に向けてデータを送信するようにしてもよい。例えば、集合住宅２において管理組合に加入していない居住者（非管理組合員）のみに向けて情報Ａを送信する。この場合、送信される情報Ａは、例えば広告情報に関連づけられたデータとしてクラウドサーバ１００から各棟制御部４０および管理制御部７０に向けて一括して送信されるようにしてもよい。また、送信される情報Ａには非管理組合員向けの情報であることを識別するための識別ＩＤが添付されている。各棟制御部４０の制御部ＣＰＵ４１は、受信した識別ＩＤを認識して、自棟内における非管理組合員の居室の居室親機１０に向けて情報Ａを配信する。この構成によれば、予め特定された居住者（居室親機）に向けて選択的にデータを配信することができるため、例えば、広告情報の配信の際の広告効果を高めることができる。
【００４６】
（変形例２）
クラウドサーバ１００から集合住宅２へ一括して送信される予約情報には、例えばタクシー配車予約に関連する情報が含まれてもよい。予約情報の配信を選択した居室では、居室親機１０の表示部１１にタクシー配車の予約案内が表示される。利用者は居室親機１０からタクシー配車の予約を行うことが可能である。配車の予約信号は、制御部ＣＰＵ４１を通じ、インターネットＮを介して、タクシー会社に送信される。配車の予約を受けたタクシー会社が、クラウドサーバ１００に例えば配車の予約を承った旨を通知する応答データ（予約完了情報）やタクシーが集合住宅２に到着した旨を通知する応答データ（タクシー到着情報）等をアップロードすると、当該データがクラウドサーバ１００から各棟制御部４０および管理制御部７０に向けて一括して送信されるようにしてもよい。送信される予約完了情報やタクシー到着情報には配車予約を行った居室の居室親機１０を識別するための居室親機ＩＤが添付され、各棟制御部４０の制御部ＣＰＵ４１は、受信した居室親機ＩＤを認識して、該当の居室親機１０に向けて応答データを送信することができる。これらの応答データを受信した居室親機１０は、予約完了情報やタクシー到着情報を当該居室親機１０の表示部１１に表示させることができる。これにより、集合住宅２の各居室の居住者に対して、タクシーの配車予約からタクシー到着通知までのサービスを包括的に提供することができる。
【００４７】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００４８】
１：インターホンシステム、２：集合住宅、３：住居Ａ棟、４：住居Ｂ棟、５：管理棟、１０：居室親機、１３：親機ＣＰＵ、２０：集合玄関機（端末機器の一例）、２４：玄関機ＣＰＵ、３０，６０：管理室親機、３４，６４：管理室ＣＰＵ、４０：棟制御部、４１：制御部ＣＰＵ、４２，７２：配信サーバ、５０：管理玄関機、５４：管理玄関ＣＰＵ、７０：管理制御部、７１：管理制御部ＣＰＵ、１００：クラウドサーバ（データ制御部の一例）、Ｌ１〜Ｌ５：インターホン回線（専用線）、Ｎ：インターネット（外部ネットワークの一例）
【図１】
2019047199.tif 000003
【図２】
2019047199.tif 000004